(57)【要約】【課題】保持器と転動体のコロとが容易にばれない（外れない）ようにして、組みばらし性を向上すること。【解決手段】保持器５から転動体のコロ４が容易にはずれないことを特徴とする。保持器５と転動体のコロ４は、ばれることがなく、その組みばらし性を向上させることができる。ポケット７の形状をＲ形状（円弧形状）にし、ポケット７にパチンしろ部（コロ挿入部１０とコロ案内面８との境界部１０ａ）を設けて、パチンしろ部１０ａより転動体のコロ４を挿入する。すなわち、保持器５のポケット７は、コロ４に対向するコロ案内面８を有し、コロ案内面８は、ポケット７に挿入されたコロ４を保持して、パチンしろ部１０ａにより、コロ４がポケット７から不用意に抜け出ないような形状に形成してある。【選択図】図３
2007198432.tif 000002
【特許請求の範囲】
【請求項１】
互いに積層配置された一対の軌道盤の間に転動体のコロを転動自在に介装したスラスト軸受に装着して、転動体のコロを等配するスラスト軸受用保持器に於いて、
前記保持器のポケットに、パチンしろ部が設けてあることを特徴とするスラスト軸受用保持器。
【請求項２】
前記保持器のポケットは、コロに対向するコロ案内面を有し、
当該コロ案内面は、前記ポケットに挿入されたコロを保持して、コロがポケットから不用意に抜け出ないような形状に形成してあることを特徴とする請求項１に記載のスラスト軸受用保持器。
【請求項３】
前記コロ案内面は、
一方側の端部が、ポケットからコロの脱落を防ぐ突出縁部となっており、
他方側の端部が、コロの外径寸法となる直径より僅かに小さな間隔を隔てて形成されたコロ挿入部を有していることを特徴とする請求項２に記載のスラスト軸受用保持器。
【請求項４】
前記コロ案内面は、前記突出縁部と前記コロ挿入部との間が略円弧状に形成してあることを特徴とする請求項３に記載のスラスト軸受用保持器。
【発明の詳細な説明】
【技術分野】
【０００１】
本発明は、例えば、鉄鋼用の圧延機に使われるスラスト軸受用保持器に関する。
【背景技術】
【０００２】
例えば、鉄鋼用の圧延機に使われるスラスト軸受用保持器（フラット軸受用保持器）は、図５（ａ）に示すように、平板に多数のポケットを有する構造をしている。
【０００３】
すなわち、図５（ａ）に示すように、フラット軸受は、互いに積層配置された一対の軌道盤（図示略）と、各軌道盤間に介装された多数の転動体であるコロ４（図６）と、各コロ４を収容するポケット７が多数設けられた板状の保持器５と、を備えている。
【０００４】
このフラット軸受は、各軌道盤の積層方向に対して平行な回動軸線を中心として、各軌道盤が相対的にスラスト回動する。
【０００５】
保持器５は、回動方向外側端面が回動軸線に対する同心円に沿った凸状円弧面５ａとされ、回動方向内側端面が回動軸線に対する同心円に沿った凹状円弧面５ｂとされた平面略扇形状となっている。
【０００６】
このようなフラット軸受は、保持器５の凸状円弧面５ａおよび凹状円弧面５ｂを、それぞれ、外側鍔部（図示略）や旋回案内ピン（図示略）等の摺接面に摺接させながら、各軌道盤が相対的にスラスト回動する。なお、このフラット軸受の用途は、小さな角度で反復して回動するものが主である。
【０００７】
保持器５のポケット７では、図５（ｂ）又は図６に示すように、コロ案内面８の形状がストレート（平坦）である。その幅寸法は、図５（ｂ）又は図６に示すように、（α）である。
【０００８】
転動体のコロ４の組み方は、まず、下軌道盤の上に、保持器５をおき、そのポケット７の中に転動体のコロ４を上部から置いていくという方法で、保持器５は、単に転動体のコロ４を等配させるだけである。
【０００９】
なお、図５（ａ）は、従来例に係る一体タイプのスラスト軸受用保持器（フラット軸受用保持器）の平面図であり、（ｂ）は、そのポケットの拡大図である。
【００１０】
図６は、図５（ａ）（ｂ）に示した従来例に係る一体タイプのスラスト軸受用保持器（フラット軸受用保持器）の部分断面図である。
【特許文献１】特願２００４−３４６７５１号
【発明の開示】
【発明が解決しようとする課題】
【００１１】
しかしながら、図５及び図６に示した従来例に係る一体タイプのスラスト軸受用保持器では、組みばらしの際に、転動体のコロ４が保持器５のポケット７から容易に抜けるので、作業が非常に煩雑であった。
【００１２】
本発明は、上述したような事情に鑑みてなされたものであって、保持器と転動体のコロとが容易にばれない（外れない）ようにして、組みばらし性を向上することができる、スラスト軸受用保持器を提供することを目的とする。
【課題を解決するための手段】
【００１３】
上記の目的を達成するため、本発明に係るスラスト軸受用保持器は、互いに積層配置された一対の軌道盤の間に、転動体のコロを転動自在に介装したスラスト軸受に装着して、転動体のコロを等配するスラスト軸受用保持器に於いて、
前記保持器のポケットに、パチンしろ部が設けてあることを特徴とする。
【００１４】
好適には、前記保持器のポケットは、コロに対向するコロ案内面を有し、
当該コロ案内面は、前記ポケットに挿入されたコロを保持して、コロがポケットから不用意に抜け出ないような形状に形成してある。
【００１５】
また、好適には、前記コロ案内面は、
一方側の端部が、ポケットからコロの脱落を防ぐ突出縁部となっており、
他方側の端部が、コロの外径寸法となる直径より僅かに小さな間隔を隔てて形成されたコロ挿入部を有している。
【００１６】
さらに、好適には、前記コロ案内面は、前記突出縁部と前記コロ挿入部との間が略円弧状に形成してある。
【発明の効果】
【００１７】
本発明によれば、保持器と転動体のコロとが容易にばれない（外れない）ようにして、組みばらし性を向上することができ、組みばらしのときに、転動体のコロが四方に散乱することを防ぐことができる。
【発明を実施するための最良の形態】
【００１８】
以下、本発明の実施の形態に係るスラスト軸受用保持器を図面を参照しつつ説明する。
【００１９】
（第１実施の形態）
図１（ａ）は、本発明の第１実施の形態に係る一体タイプのスラスト軸受用保持器（フラット軸受用保持器）の平面図であり、（ｂ）は、そのポケットの拡大図である。
【００２０】
図２（ａ）は、本発明の第１実施の形態の変形例に係る分割タイプのスラスト軸受用保持器（フラット軸受用保持器）の平面図であり、（ｂ）は、そのポケットの拡大図である。
【００２１】
図３は、図１（ａ）（ｂ）及び図２（ａ）（ｂ）に示した一体タイプのスラスト軸受用保持器（フラット軸受用保持器）の部分断面図である。
【００２２】
図１（ａ）及び図２（ａ）に示すように、フラット軸受は、互いに積層配置された一対の軌道盤（図示略）と、各軌道盤間に介装された多数の転動体であるコロ４（図３）と、各コロ４を収容するポケット７が多数設けられた板状の保持器５と、を備えている。
【００２３】
このフラット軸受は、各軌道盤の積層方向に対して平行な回動軸線を中心として、各軌道盤が相対的にスラスト回動する。
【００２４】
保持器５は、回動方向外側端面が回動軸線に対する同心円に沿った凸状円弧面５ａとされ、回動方向内側端面が回動軸線に対する同心円に沿った凹状円弧面５ｂとされた平面略扇形状となっている。
【００２５】
このようなフラット軸受は、保持器５の凸状円弧面５ａおよび凹状円弧面５ｂを、それぞれ、外側鍔部（図示略）や旋回案内ピン（図示略）等の摺接面に摺接させながら、各軌道盤が相対的にスラスト回動する。なお、このフラット軸受の用途は、小さな角度で反復して回動するものが主である。
【００２６】
さて、本実施の形態では、大略的には、保持器５から転動体のコロ４が容易にはずれないことを特徴とする。保持器５と転動体のコロ４は、ばれることがなく、その組みばらし性を向上させることができる。図３に示すように、ポケット７のコロ案内面８形状をＲ形状（円弧形状）にし、ポケット７にパチンしろ部（コロ挿入部１０とコロ案内面８との境界部１０ａ）を設けて、パチンしろ部（コロ挿入部１０とコロ案内面８との境界部１０ａ）より転動体のコロ４を挿入する。
【００２７】
すなわち、保持器５のポケット７は、コロ４に対向するコロ案内面８を有し、コロ案内面８は、ポケット７に挿入されたコロ４を保持して、パチンしろ部（コロ挿入部１０とコロ案内面８との境界部１０ａ）により、コロ４がポケット７から不用意に抜け出ないような形状に形成してある。
【００２８】
具体的には、コロ案内面８は、一方側の端部が、ポケットからコロの脱落を防ぐ突出縁部８ａとなっており、その幅寸法は、図１（ｂ）、図２（ｂ）又は図３に示すように、（β）である。他方側の端部が、コロの外径寸法となる直径より僅かに小さな間隔を隔てて形成されたコロ挿入部１０を有している。コロ挿入部１０とコロ案内面８との間に、パチンしろ部（境界部１０ａ）が形成してある。
【００２９】
コロ案内面８は、突出縁部８ａとコロ挿入部１０との間が略円弧状に形成してある。即ち、保持器５のポケット７では、図１（ｂ）、図２（ｂ）又は図３に示すように、コロ案内面８の形状が略円弧形状である。
【００３０】
以上から、本実施の形態によれば、保持器５と転動体のコロ４とが容易にばれない（外れない）ようにして、組みばらし性を向上することができ、組みばらしのときに、転動体のコロ４が四方に散乱することを防ぐことができる。
【００３１】
（第２実施の形態）
図４（ａ）は、本発明の第２実施の形態に係り、スラスト軸受用保持器（フラット軸受用保持器）の断面図であり、（ｂ）は、その作用図である。
【００３２】
フラット軸受は、互いに積層配置された一対の軌道盤２０，３０と、各軌道盤間２０，３０に介装された多数の転動体であるコロ４と、各コロ４を収容するポケット７が多数設けられた板状の保持器５と、を備えている。
【００３３】
ポケット７には、図４（ａ）に示すように、コロ４の転動面４ａと対向する位置に、コロ案内面８が形成されている。
【００３４】
コロ案内面８は、転動面４ａに沿って総型形状をもつ加工工具を用いて、設計形状と同じ輪郭をもつ円弧状に加工されており、その曲率半径Ｒは、転動面４ａの曲率半径より僅かに大きい。
【００３５】
コロ案内面８は、軸方向Ｘにおける一方側の端部が、ポケット７からコロ４の脱落を防ぐ突出縁部８ａとなっている。
【００３６】
また、コロ案内面８の他方側の端部には、コロ４の外径寸法となる直径より僅かに小さな間隔Ｄを隔てて形成されたコロ挿入部１０を有する。
【００３７】
ここで、このコロ挿入部１０は、コロ４の転動面４ａを接触させて圧入した際に、その内径となる間隔Ｄが弾性変形して間隔Ｄを通過可能に形成されている。
【００３８】
そのため、ポケット７にコロ４を組み込む際には、コロ挿入部１０が設けられた側からコロ４を圧入して組み込み可能になっている。
【００３９】
そして、この保持器５では、隣接するポケット７毎に、コロ４を組み込む方向が逆向き（矢印Ｘ１とＸ２）になるように構成されている。
【００４０】
すなわち、コロ４の並び方向で隣接するポケット７は、軸方向Ｘの方向で隣接するポケット７毎に、ポケット７の全体形状が逆向きになるように交互に形成されている。
【００４１】
さらに、コロ４の転動面４ａと突出縁部８ａとの軸方向Ｘでの距離をＡとして、コロ挿入部１０とコロ案内面８との境界部１０ａと、転動面４ａとの軸方向Ｘでの距離をＢとしたとき、常時Ｂ＞Ａとなるように、コロ案内面８の曲率半径Ｒと間隔Ｄとがそれぞれ設定されている。    
【００４２】
また、この保持器５では、コロ案内面８は、転動面４ａに沿って総型形状をもつ加工工具を用いて加工されている。
【００４３】
そのため、コロ案内面８を設計形状と同じ輪郭をもつように容易に加工可能であり、コロ転動面として最適の形状にすることができる。
【００４４】
また、この保持器５によれば、ポケット７は、コロ４の外径寸法より内径寸法が小さく且つその内径が弾性変形してポケット７内にコロ４を挿入可能なコロ挿入部１０を有して形成されている。
【００４５】
そのため、組立の際には、コロ４を、コロ挿入部１０から押し込むだけで、ポケット７内に容易に組み込むことができる。したがって、組立工数を削減することができる。
【００４６】
また、この保持器５では、隣接するポケット７毎にコロ４を組み込む方向が逆になるように構成されている。例えば、図４（ｂ）に示すように、保持器５が重力により図中下方に移動して、突出縁部８ａと転動面４ａが接触した場合、上述した距離Ａ（図４（ａ）参照）は、ゼロとなる。すなわち、保持器５は距離Ａだけ下方に移動した状態となる。また、隣接したポケット７では、距離Ｂは保持器５の移動距離だけ短くなっているが、上述のように、Ｂ＞Ａであるため、常にＢ＞０となる。すなわち、転動面４ａとコロ挿入部１０とは接触しない。したがって、コロ挿入部１０は摩耗することがなく、間隔Ｄは、長期の運転時間を経た後であっても維持される。そのため、コロ４は、ポケット７から脱落することがなく、保持器５の案内を安定した状態に維持することができる。また、突出縁部８ａと転動面４ａは、接触角度が極めて小さいため、摩耗が起こりにくい。このように、このコロ軸受によれば、隣接するポケット７毎に、コロ４を組み込む方向が逆になるように構成されているため、安定した状態で長期にわたり使用することができる。したがって、コロ軸受を取り付ける向きがどのような方向であっても、安定した運転状態を維持することができる。  
【００４７】
なお、本発明は、上述した実施の形態に限定されず、種々変形可能である。
【図面の簡単な説明】
【００４８】
【図１】（ａ）は、本発明の第１実施の形態に係る一体タイプのスラスト軸受用保持器（フラット軸受用保持器）の平面図であり、（ｂ）は、そのポケットの拡大図である。
【図２】（ａ）は、本発明の第１実施の形態の変形例に係る分割タイプのスラスト軸受用保持器（フラット軸受用保持器）の平面図であり、（ｂ）は、そのポケットの拡大図である。
【図３】図１（ａ）（ｂ）及び図２（ａ）（ｂ）に示した一体タイプのスラスト軸受用保持器（フラット軸受用保持器）の部分断面図である。
【図４】（ａ）は、本発明の第２実施の形態に係り、スラスト軸受用保持器（フラット軸受用保持器）の断面図であり、（ｂ）は、その作用図である。
【図５】（ａ）は、従来例に係る一体タイプのスラスト軸受用保持器（フラット軸受用保持器）の平面図であり、（ｂ）は、そのポケットの拡大図である。
【図６】図５（ａ）（ｂ）に示した従来例に係る一体タイプのスラスト軸受用保持器（フラット軸受用保持器）の部分断面図である。
【符号の説明】
【００４９】
４  転動体のコロ
４ａ  転動面
５  板状の保持器
５ａ  凸状円弧面
５ｂ  凹状円弧面
７  ポケット
８  コロ案内面
８ａ  突出縁部
１０  コロ挿入部
１０ａ  境界部
【図１】
2007198432.tif 000003
【図２】
2007198432.tif 000004
【図３】
2007198432.tif 000005
【図４】
2007198432.tif 000006
【図５】
2007198432.tif 000007
【図６】
2007198432.tif 000008